(57)【要約】【課題】装飾的要素を容易に付加できることを可能とした間仕切りを提供することを目的とする。【解決手段】パネル部材において、パネル要素２３と、パネル要素２３の一方又は両面に配置される装飾部材２５と、装飾部材２５をパネル要素２３に対して支持する支持手段２６とを備え、支持手段２６は、第１支持部材２６ａと、第２支持部材２６ｂとを備え、第１支持部材２６ａと第２支持部材２６ｂとが対向する位置に配置され磁気吸引されることによって、装飾部材２５は、装飾部材２５が配置されたパネル要素２３に対して支持される。【選択図】図４
2019035217.tif 000002
【特許請求の範囲】
【請求項１】
パネル部材において、パネル要素と、前記パネル要素の一方又は両面に配置される装飾部材と、前記装飾部材を前記パネル要素に対して支持する支持手段とを備え、
前記支持手段は、第１支持部材と、第２支持部材とを備え、
前記第１支持部材と前記第２支持部材とが対向する位置に配置され磁気吸引されることによって、前記装飾部材は、当該装飾部材が配置されたパネル要素に対して支持される
間仕切り。
【請求項２】
前記第１支持部材および前記第２支持部材は、直線形状または曲線形状を有している
請求項１に記載の間仕切り。
【請求項３】
前記装飾部材は、シート部材である
請求項１または２に記載の間仕切り。
【請求項４】
前記パネル部材は、前記パネル要素の側縁部に配置される縦枠部材と、前記パネル要素の下縁部に配置される下枠部材とを備え、
前記装飾部材は、少なくとも前記縦枠部材および前記下枠部材の何れか１つの枠部材に保持されており、
前記支持手段は、前記装飾部材の上縁部を支持する
請求項１ないし３のうち何れか１項に記載の間仕切り。
【請求項５】
前記パネル部材は、少なくとも１つのパネル面に複数の前記装飾部材を備える
請求項１ないし４のうち何れか１項に記載の間仕切り。
【請求項６】
前記装飾部材は、前記パネル要素の両面に配置され、一方の面に配置された前記装飾部材の位置と他方の面に配置された装飾部材の位置とが重ならないように配置される
請求項１ないし４のうち何れか１項に記載の間仕切り。
【請求項７】
前記第１支持部材および第２支持部材の少なくとも１つの支持部材は、マグネットを備え、他方の支持部材は、前記マグネットに磁気吸引される磁性体を備える
請求項１ないし６のうち何れか１項に記載の間仕切り。
【発明の詳細な説明】
【技術分野】
【０００１】
本発明は、パネル要素に装飾部材を支持した間仕切りに関する。
【背景技術】
【０００２】
特許文献１には、室内空間を適宜に区画する間仕切りである建具として、装飾部材となるシートを磁石で挟み込んだものが記載されている（特許文献１参照）。
【先行技術文献】
【特許文献】
【０００３】
【特許文献１】特開２００１−２８００２２号公報
【発明の概要】
【発明が解決しようとする課題】
【０００４】
しかし、特許文献１の建具は、シートを磁石で挟み込む構成であり、シートをパネルなどで支持する構成ではない。したがって、特許文献１のシートは、ある程度面剛性を高める必要があり、そのためには、シートをある程度厚くせざる得ない。
【０００５】
本発明は、パネル要素に対して装飾的要素を容易に付加することを可能とした間仕切りを提供することを目的とする。
【課題を解決するための手段】
【０００６】
上記課題を解決する間仕切りは、パネル部材において、パネル要素と、前記パネル要素の一方又は両面に配置される装飾部材と、前記装飾部材を前記パネル要素に対して支持する支持手段とを備え、前記支持手段は、第１支持部材と、第２支持部材とを備え、前記第１支持部材と前記第２支持部材とが対向する位置に配置され磁気吸引されることによって、前記装飾部材は、当該装飾部材が配置されたパネル要素に対して支持される。
【０００７】
上記間仕切りにおいて、前記第１支持部材および前記第２支持部材は、直線形状または曲線形状を有していることが好ましい。
上記間仕切りにおいて、前記装飾部材は、シート部材であることが好ましい。
【０００８】
上記間仕切りにおいて、前記パネル部材は、前記パネル要素の側縁部に配置される縦枠部材と、前記パネル要素の下縁部に配置される下枠部材とを備え、前記装飾部材は、少なくとも前記縦枠部材および前記下枠部材の何れか１つの枠部材に保持されており、前記支持手段は、前記装飾部材の上縁部を支持することが好ましい。
【０００９】
上記間仕切りにおいて、前記パネル部材は、少なくとも１つのパネル面に複数の前記装飾部材を備えることが好ましい。
上記間仕切りにおいて、前記装飾部材は、前記パネル要素の両面に配置され、一方の面に配置された前記装飾部材の位置と他方の面に配置された装飾部材の位置とが重ならないように配置されることが好ましい。
上記間仕切りにおいて、前記第１支持部材および第２支持部材の少なくとも１つの支持部材は、マグネットを備え、他方の支持部材は、前記マグネットに磁気吸引される磁性体を備えることが好ましい。
【発明の効果】
【００１０】
本発明によれば、パネル要素に対して装飾的要素を容易に付加することを可能とした間仕切りを提供することができる。
【図面の簡単な説明】
【００１１】
【図１】第１実施形態における間仕切りの正面図。
【図２】第１実施形態における間仕切りの断面図。
【図３】上部ランナおよび上枠部材の要部斜視図。
【図４】パネル部の分解斜視図。
【図５】パネル要素と装飾部材と支持手段の位置関係を示す要部断面図。
【図６】パネル要素と装飾部材と支持手段の位置関係を示す要部断面図。
【図７】パネル部材の要部斜視図。
【図８】パネル部材の分解斜視図。
【図９】支持手段が曲線形状を有している間仕切りの正面図。
【図１０】第２実施形態におけるパネル部の要部正面図。
【図１１】第３実施形態におけるパネル部の要部断面図。
【図１２】第４実施形態におけるパネル部の要部断面図。
【発明を実施するための形態】
【００１２】
以下、図１〜図１２を参照して、本発明に係る間仕切りの実施形態について説明する。
〔第１実施形態〕
図１に示すように、間仕切り１は、引戸であって、上部レール２に沿って移動する上部ランナ３からパネル部材４が吊り下げ支持され、パネル部材４は、上部レール２に沿って移動する。
【００１３】
図２に示すように、上部レール２は、前壁６ａと、前壁６ａと対向する後壁６ｂと、前壁６ａと後壁６ｂとを繋ぐ上壁６ｃとを備えている。さらに、上部レール２の下面は、長手方向に沿って、支軸１３が挿通されるレール開口部７を備え、レール開口部７を挟んだ両側に、支持片７ａ，７ｂを備えている。上部ランナ３は、上部レール２の内部に、長手方向に沿って移動可能に配置される。支持片７ａ，７ｂは、上部ランナ３のランナ本体１１が移動するレールとなる。一例として、後壁６ｂ側の支持片７ｂは、前壁６ａ側の支持片７ａより厚く形成されている。支持片７ｂにおいて、上部レール２の内部側の支持面は、支持片７ａの内部側の支持面より上部レール２の内部側（すなわち上側）に位置し、レール開口部７に向かって下る傾斜面で構成されている。これにより、上部ランナ３の下面との接触面が減少し、パネル部材４を移動させるための操作力を低減することができる。なお、支持片７ａが支持片７ｂより厚く、上部レール２の内部側（すなわち上側）に位置し、レール開口部７に向かって下る傾斜面で構成してもよい。
【００１４】
図２および図３に示すように、上部ランナ３は、略円形形状を有したランナ本体１１を備えている。ランナ本体１１は、その直径が上部レール２の前壁６ａと後壁６ｂの内面との間隔より小さくなるようにし、また、上部レール２の支持片７ａ，７ｂ（特に支持片７ｂ）に下面が支持されている。このような上部ランナ３は、上部レール２が直線部だけでなく、直線部に対して９０°折曲しその先で直線部と平行となる分岐路を有しているとき、当該分岐路に進入することができる。一例として、１つのパネル部材が２つの上部ランナ３によって吊り下げ支持されているとき、一方の上部ランナ３を直線部に進入させ、他方の上部ランナ３を分岐路に進入させることができる。これにより、パネル面をパネル部材の進行方向に対して直交する方向に向かせ、この状態で上部レール２に沿って移動させることができる。
【００１５】
ランナ本体１１は、ランナ本体１１から垂下された支軸１３によってパネル部材４と接続されている。ランナ本体１１には、支軸１３の上端部が固定される。支軸１３の上端部、すなわちランナ本体１１に対する根本部１３ａは、レール開口部７の幅とほぼ一致し、パネル部材４における上部レール２に対して移動方向と交差する方向（図２中横方向）の揺動を抑制している。支軸１３の下端部には、パネル部材４の上枠部材２２が一体的に設けられる。上枠部材２２の上部には、上部ランナ３から垂下された支軸１３を保持する軸保持部材１２が設けられている。軸保持部材１２は、ねじなどの固定部材１４によって上枠部材２２に固定され、支軸１３の下端部を保持する。ここでは、１枚のパネル部材４は、２つの上部ランナ３によって吊り下げ支持されている。
【００１６】
パネル部材４は、パネル部２１と、パネル部２１を上部ランナ３に対して支持する上枠部材２２と、下枠部材２９と、縦枠部材５１とを備えている（図１参照）。
図４に示すように、パネル部２１は、表面形成部材となるパネル要素２３と、パネル要素２３の１つの面に配置される装飾部材２５と、装飾部材２５をパネル要素２３に対して支持する支持手段２６とを備えている。ここで、パネル要素２３は、全体が矩形形状を有する板体である。パネル部２１は、長手方向を上下方向として、パネル要素２３の一方の面に装飾部材２５が配置された状態で、上縁部２１ａ（パネル要素２３の上縁部、図２参照）が上枠部材２２に取り付けられる。
【００１７】
パネル要素２３は、ガラスやポリカーボネート樹脂やアクリル樹脂などの合成樹脂により形成され、透光性を有している。パネル要素２３は、単板であってもよいし、複層パネルであってもよい。パネル要素２３が複層パネルの場合、２枚のパネルがシート状の装飾部材を挟み込む構成とすることもできる。パネル要素２３は、全体が透光性を有していてもよいし、また、一部が透光性を有し、残りが遮光性となるように構成してもよい。また、パネル要素２３には、種々の装飾を施すことができる。
【００１８】
このようなパネル要素２３は、互いに相対する第１パネル面２４ａと第２パネル面２４ｂとを備え、第１パネル面２４ａに対して装飾部材２５が配置される。一例として、第１パネル面２４ａは、パネル部２１の表面を構成し、第２パネル面２４ｂは、パネル部２１の裏面を構成する。図１の例では、パネル要素２３の全体が透光性を有しており、装飾部材２５が第１パネル面２４ａのほぼ下半分の下部領域に配置されている。したがって、パネル部２１は、上半分の上部領域が透光領域となる。また、パネル部２１は、下半分の下部領域が装飾領域または遮光領域となる。
【００１９】
図４に示すように、装飾部材２５は、パネル要素２３とほぼ同じ幅を有し、上下方向はパネル要素２３より短く形成されたシート部材である。例えば、装飾部材２５は、織物、編物、不織布などである。また、装飾部材２５は、樹脂が含浸加工された織物、編物、不織布などである。樹脂が含浸加工された装飾部材２５は、本来柔らかい生地に対して樹脂が含浸加工されることによって、繊維が解れにくくなり、また、皺になりにくくなる。また、生地の伸縮を抑制することができ、これにより、平面性または平坦性に優れ、形状安定性に優れた生地とすることができる。また、樹脂が含浸加工された装飾部材２５は、防炎剤を織り込むことで、防炎性能を付加することも可能である。装飾部材２５は、無地であってもよいし、柄が付いていてもよい。また、装飾部材２５としては、一例として、レース生地や刺しゅう付きの生地などであってもよい。また、生地要素の代わりに樹脂シートを使用してもよい。また、装飾部材２５は、外側に臨む面（第１パネル面２４ａに対する対向面とは反対側の面）に凹凸を設けて立体的な形状とすることもできる。
【００２０】
図５に示すように、支持手段２６は、第１パネル面２４ａ側に配置される第１支持部材２６ａと、第２パネル面２４ｂ側に配置される第２支持部材２６ｂとを備えている。支持手段２６は、装飾部材２５を支持する部材ともなるし、一対の縦枠部材５１の間に架け渡されることで横桟としても機能する。
【００２１】
第１支持部材２６ａは、パネル要素２３の横方向（移動方向）と同じ若しくは若干短い寸法を有するマグネットとしての第１マグネットバー２７ａと、第１マグネットバー２７ａを覆う第１カバー２７ｂとを備えている。第１マグネットバー２７ａは、一例として直線形状を有しており、一対の縦枠部材５１の内側の側縁の間の間隔とほぼ等しい長さを有する。また、第１マグネットバー２７ａは、ネオジウムなどの磁石である。第１カバー２７ｂは、横断面形状がＵ字形状を有しており、第１マグネットバー２７ａとほぼ同じ長さを有している。第１カバー２７ｂは、内側に凹部を有しており、凹部に第１マグネットバー２７ａが配置される。一例として、第１マグネットバー２７ａは、第１カバー２７ｂの凹部に対して、接着剤、両面テープ、ねじ、ビスなどによって固定される。そして、第１支持部材２６ａは、第１マグネットバー２７ａが露出した面が装飾部材２５と対向する支持面となる。なお、支持面にも、磁性体で構成され、かつ、第１カバー２７ｂと一連の又は別部材の覆板が配置されていてもよい。
【００２２】
第１カバー２７ｂは、一例として、モールド成形品や板金であり、パネル部２１の装飾デザインの一部を構成する部材であることから、様々な色を有していたり、装飾が施されている。また、第１カバー２７ｂは、装飾部材２５の端面の連続する側の側壁に、装飾部材２５の端面を覆う被覆部２７ｃを備えている。
【００２３】
第２支持部材２６ｂは、第２パネル面２４ｂにおいて、第１支持部材２６ａと対向するように配置され、第１支持部材２６ａと協働して横桟としても機能する。第２支持部材２６ｂは、第１マグネットバー２７ａと同じ部材で構成された磁性体としての第２マグネットバー２８ａである。第２支持部材２６ｂは、パネル部２１の裏面である第２パネル面２４ｂに配置される目立たない部材であることから、第２マグネットバー２８ａのみで構成されている。第１マグネットバー２７ａと第２マグネットバー２８ａは、非磁性のパネル要素２３および装飾部材２５を介して互いに磁気的に引き合う。一例として、第１マグネットバー２７ａの第１パネル面２４ａと対向する面がＮ極であるとき、第２マグネットバー２８ａの第２パネル面２４ｂと対向する面がＳ極である。
【００２４】
図６に示すように、第２支持部材２６ｂは、第１支持部材２６ａとほぼ同じ構成とすることもできる。すなわち、第２支持部材２６ｂにおいても、第２マグネットバー２８ａと、第１カバー２７ｂとほぼ同じ構成を有した第２カバー２８ｂを備えている。ただし、第２支持部材２６ｂにおける第２カバー２８ｂでは、装飾部材２５を第２パネル面２４ｂとの間で挟まないことから第１カバー２７ｂのように被覆部２７ｃは不要となる。このような構成によれば、第２支持部材２６ｂにあっても、表側に配置される第１支持部材２６ａと同様な機能を備えることになる。例えば、パネル部材４が１つの空間を第１空間と第２空間とに仕切る場合において、第１空間も第２空間も共に頻繁に使用される部屋となるときには有効である。
【００２５】
なお、第２支持部材２６ｂで使用する第２マグネットバー２８ａは、磁力発生部材としての第１マグネットバー２７ａに対して磁気吸引される磁気吸引部材であれば、第１マグネットバー２７ａに対して磁気吸引される軟磁性体などの金属バーなどによって構成することもできる。
【００２６】
装飾部材２５がパネル要素２３の下部領域に配置されると、第１支持部材２６ａと第２支持部材２６ｂとが装飾部材２５の上縁部２５ａと重なるように配置される。これにより、第１支持部材２６ａと第２支持部材２６ｂとは、パネル要素２３および上縁部２５ａを介在させて磁気吸引され、第１パネル面２４ａに対して上縁部２５ａを支持することができる。
【００２７】
なお、装飾部材２５において、上下方向に延びる側縁部２１ｂは、縦枠部材５１に固定され（図８参照）、上縁部２５ａに対して下側に位置する下縁部は、下枠部材２９によって固定される。
【００２８】
図７および図８に示すように、パネル部２１の上縁部２１ａには、上枠部材２２にパネル部２１を取り付けるための取付部材３１を備えている。取付部材３１は、パネル部２１の上縁部２１ａ（パネル要素２３の上縁部）において、部分的に設けられている。取付部材３１は、略半円柱形状を有した一対の半体３２ａ，３２ｂを備えている。各半体３２ａ，３２ｂは、上縁部２１ａへの当接面３２ｃ，３２ｄが平坦面で形成され、この当接面３２ｃ，３２ｄに対して外側の面が支持面３２ｅ，３２ｆとなり略円柱形状を有している。各半体３２ａ，３２ｂは、上縁部２１ａに固定するための挿通孔３４を有している。また、各半体３２ａ，３２ｂの上端部は、上縁部２１ａに対する位置決めのための係合片３３ａ，３３ｂを備えている。係合片３３ａ，３３ｂは、上縁部２１ａに係合する。当接面３２ｃには、筒状部３６が形成されている。筒状部３６は、内側の孔が挿通孔３４に連続し、当接面３２ｃから突出している。パネル要素２３には、パネル部２１の上縁部２１ａとなる位置に、取付孔２３ａが形成されている。
【００２９】
半体３２ａは、取付孔２３ａに対して筒状部３６が挿通されることで仮止めされる。さらに、反対側には、半体３２ｂを配置する。これにより、パネル部２１の上縁部２１ａは、半体３２ａ，３２ｂにより挟み込まれる。この後、半体３２ａからねじ３５ａを半体３２ｂの挿通孔３４に挿通し、半体３２ｂの挿通孔３４においてナット３５ｂを締め付ける。これにより、一対の半体３２ａ，３２ｂは、上縁部２１ａを挟み込むようにして取り付けられる。このように、取付部材３１は、上縁部２１ａにおいて、上縁部２１ａの全部ではなく部分的に設けるようにしているので、パネル部２１に歪みが発生することを抑えることができる。
【００３０】
以上のような取付部材３１を支持する上枠部材２２は、パネル部２１の上縁部２１ａの全幅に亘って、一対の支持片４３を備えている。一対の支持片４３は、互いに平行な２つの連結片４２で連結されている。また、一対の支持片４３の下端部の間には、上縁部２１ａが挿入される案内溝４１を備えている。図２に示すように、一対の支持片４３の下端部において、案内溝４１を臨む位置には、取付部材３１を受容する受容片４４ａ，４４ｂを備えている。また、一対の支持片４３の内面には、受容片４４ａ，４４ｂと協働して取付部材３１を支持する案内突部４５ａ，４５ｂを備えている。受容片４４ａ，４４ｂおよび案内突部４５ａ，４５ｂは、支持面３２ｅ，３２ｆを支持し、受容片４４ａ，４４ｂの間からは、上縁部２１ａが案内溝４１を通じて下方に延出する（図２および図７参照）。
【００３１】
受容片４４ａ，４４ｂの基端部には、開口端が案内溝４１に臨むように凹部４６ａ，４６ｂが設けられている。凹部４６ａ，４６ｂには、案内溝４１において、その開口端部と上縁部２１ａとの隙間を閉塞する閉塞部材４７ａ，４７ｂが配置される。閉塞部材４７ａ，４７ｂは、上縁部２１ａに当接する当接部４８ａ，４８ｂと、凹部４６ａ，４６ｂに回動可能に係合される回動軸４９ａ，４９ｂとを備えている。閉塞部材４７ａ，４７ｂは、凹部４６ａ，４６ｂにおいて回動軸４９ａ，４９ｂが回動可能に支持されている。当接部４８ａ，４８ｂは、案内溝４１の開口端部と上縁部２１ａとの間の隙間を狭め使用者から見えにくくする。また、閉塞部材４７ａ，４７ｂは、仮に、パネル部２１が揺動することがあっても、当接部４８ａ，４８ｂが上縁部２１ａに当接する。
【００３２】
図８に示すように、上枠部材２２に対しては、縦枠部材５１が取り付けられている。縦枠部材５１は、パネル部２１の上下方向に延びる側縁部２１ｂが係合される取付溝５２と、上枠部材２２の端部に結合するための結合部５３とを備えている。取付溝５２には、側縁部２１ｂがグレチャンを介して係合される。
【００３３】
パネル部２１の側縁部２１ｂは、パネル部２１の下部領域において、パネル要素２３の側縁部および装飾部材２５の側縁部が存在し、上部領域において、パネル要素２３の側縁部のみが存在している。取付溝５２には、パネル部２１の上部領域ではパネル要素２３の側縁部のみが挿入され、下部領域ではパネル要素２３の側縁部と装飾部材２５の側縁部が挿入されることになる。パネル部２１の側縁部２１ｂは、下部領域より上部領域の方が装飾部材２５の厚さの分薄くなっている。側縁部２１ｂの厚さの違いは、グレチャンの弾性によって吸収され、パネル部２１の側縁部２１ｂと取付溝５２の縁部との間に隙間が発生することを防ぐようにしている。
【００３４】
結合部５３は、ねじなどの固定部材５７が挿通される挿通孔５４を備えている。また、上枠部材２２には、一対の支持片４３を連結する互いに平行な２つの連結片４２に固定部５５が設けられている。上側の連結片４２が備えた固定部５５は、開口端を下向きとしたＣ字形状をしており、下側の連結片４２が備えた固定部５５は、開口端を上向きとしたＣ字形状を有している。上枠部材２２の縦枠部材５１に対する取付端部５６において、固定部５５には、挿通孔５４に挿通された固定部材５７が締め付けられる。これにより、上枠部材２２の取付端部５６には、縦枠部材５１の結合部５３が結合される。また、縦枠部材５１の端部５８には、キャップ部材５９が取り付けられ、端部５８の開口部が閉塞される。
【００３５】
なお、下枠部材２９は、上枠部材２２とほぼ同様な構成を有しており、パネル要素２３の下縁部は、案内溝４１に挿入される。この際、パネル要素２３の下縁部は、案内溝４１にグレチャンを介して係合される。
【００３６】
パネル要素２３に対して上枠部材２２、下枠部材２９、および、縦枠部材５１が取り付けられた後に、上述した第１支持部材２６ａは、第１パネル面２４ａに取り付けられ、第２支持部材２６ｂは、第１支持部材２６ａと対向するように第２パネル面２４ｂに取り付けられる。
【００３７】
上記第１実施の形態によれば、以下のように列挙する作用効果を得ることができる。
（１−１）装飾部材２５は、可撓性を有するがパネル要素２３の第１パネル面２４ａに支持されることで形態が安定する。したがって、装飾部材２５は、第１支持部材２６ａと第２支持部材２６ｂとが磁気吸引されることで、第１パネル面２４ａに確実に支持することができる。すなわち、パネル要素２３に対する装飾部材２５の取付位置をずれにくくすることができる。
【００３８】
（１−２）パネル部２１は、パネル要素２３の第１パネル面２４ａに装飾部材２５が配置されることで、パネル部２１の全体としてのデザイン設計の自由度を高めることができる。第１パネル面２４ａからは、装飾部材２５を直接視認することができ、第２パネル面２４ｂからは、パネル越し装飾部材２５を視認することができる。
【００３９】
（１−３）装飾部材２５のパネル要素２３への取付は、第１支持部材２６ａと第２支持部材２６ｂとを対向させる簡単な作業とすることができる。
（１−４）第１支持部材２６ａは、第１マグネットバー２７ａを第１カバー２７ｂに取り付けて構成されているので、第１マグネットバー２７ａを第１カバー２７ｂで隠すことができる。そして、第１マグネットバー２７ａが露出しないことで、パネル部２１の全体としてのデザイン設計の自由度を高めることができる。
（１−５）第２支持部材２６ｂには、第２マグネットバー２８ａではなく、金属バーなどの磁性体を使用することもできる。
【００４０】
（１−６）第１支持部材２６ａおよび第２支持部材２６ｂは、装飾部材２５の上縁部２５ａにおいて、一対の縦枠部材５１の間に架け渡されることで、横桟として機能させることができる。
（１−７）装飾部材２５は、上縁部２５ａ以外が一対の縦枠部材５１および下枠部材２９に支持されることで、支持手段２６だけで支持されている場合よりも確実に支持され、取付位置がずれにくくなる。
【００４１】
なお、上記第１実施形態は、以下のように適宜変更して実施することもできる。
・パネル要素２３そのものが、透光性領域と遮光性領域を備えていてもよい。この場合、装飾部材２５は、透光領域だけに配置されてもよいし、遮光領域だけに配置されてもよいし、透光領域と遮光領域に跨って配置されていてもよい。
【００４２】
・第１支持部材２６ａは、第１マグネットバー２７ａだけで構成されていてもよい。
・第１支持部材２６ａおよび第２支持部材２６ｂは、直線形状でなくてもよい。一例として、図９に示すように、第１支持部材２６ａおよび第２支持部材２６ｂは、曲線形状を有していてもよい。この場合、一例として、装飾部材２５の上縁部２５ａの形状に合わせて第１支持部材２６ａおよび第２支持部材２６ｂの形状は選択される。ここでは、装飾部材２５の上縁部２５ａが曲線形状をしているので、この曲線形状に合わせて、第１支持部材２６ａおよび第２支持部材２６ｂの形状も曲線形状とされている。
【００４３】
・第１支持部材２６ａおよび第２支持部材２６ｂは、同じ形状でなくてもよい。一例として、第１支持部材２６ａおよび第２支持部材２６ｂの何れか一方の支持部材が直線形状を有し、他方の支持部材が曲線形状を有していてもよい。この場合、第１支持部材２６ａおよび第２支持部材２６ｂは、一部が重なるようにして、装飾部材２５を挟むことができるようにする。
【００４４】
・第１支持部材２６ａおよび第２支持部材２６ｂの形状は、装飾部材２５の縁部を支持できる形状であれば、直線形状に限定されるものではない。一例として、装飾部材２５が矩形形状である場合、第１支持部材２６ａおよび第２支持部材２６ｂの形状は、装飾部材２５の隣り合う２辺の縁部に対応したＬ字型形状を有していてもよく、また、４辺全てに対応する矩形枠形状を有していてもよい。また、円形の装飾部材２５の場合、第１支持部材２６ａおよび第２支持部材２６ｂの形状は、装飾部材２５の外周縁部に対応する円形枠形状であってもよく、また、半径を同じくし外周縁部の一部を支持できる曲線形状を有していてもよい。
【００４５】
・装飾部材２５の形状は、特に限定されるものではない。装飾部材２５は、一例として、円形形状や楕円形状を有していてもよいし、三角形や五角形や六角形といった多角形形状を有していてもよい。このような形状を有した装飾部材２５は、縦枠部材５１や下枠部材２９によって固定されていなくてもよい。このような場合、装飾部材２５は、周縁部が第１支持部材２６ａおよび第２支持部材２６ｂによって支持されることになる。
【００４６】
・第１支持部材２６ａおよび第２支持部材２６ｂの端部と縦枠部材５１とが当接する部分は、結合機構を備えていてもよい。一例として、縦枠部材５１には、第１支持部材２６ａおよび第２支持部材２６ｂの端部が差し込まれる凹部を設けるようにする。このような結合機構では、第１支持部材２６ａおよび第２支持部材２６ｂの端部が縦枠部材５１の凹部に差し込まれることで、第１支持部材２６ａおよび第２支持部材２６ｂの位置がずれにくくなり、第１支持部材２６ａおよび第２支持部材２６ｂの横桟としての機能を一層向上させることができる。
また、第１支持部材２６ａおよび第２支持部材２６ｂの先端面に突起部または凹部で構成された係合部を設ける。そして、縦枠部材５１における第１支持部材２６ａおよび第２支持部材２６ｂの先端面が突き合わされる部分には、係合部が係合する凹部または突起部で構成された被係合部を設ける。このような結合機構でも、第１支持部材２６ａおよび第２支持部材２６ｂの係合部と縦枠部材５１の被係合部とが係合することで、第１支持部材２６ａおよび第２支持部材２６ｂの位置がずれにくくなり、第１支持部材２６ａおよび第２支持部材２６ｂの横桟としての機能を一層向上させることができる。
【００４７】
・装飾部材２５は、上枠部材２２に固定され、他の縁部が第１支持部材２６ａおよび第２支持部材２６ｂに支持されてもよい。
【００４８】
〔第２実施形態〕
装飾部材６１は、パネル要素２３の第１パネル面２４ａに対して重ならないように複数箇所に配置されていてもよい。図１０に示すように、第１パネル面２４ａには、複数の装飾部材６１を互いに重ならないように配置する。ここでの装飾部材６１は、長方形形状を有した第１形状装飾部材６１ａと正方形形状を有した第２形状装飾部材６１ｂとで構成されている。そして、１列目に１つの第１形状装飾部材６１ａを配置し、２列目に３つの第２形状装飾部材６１ｂを図中横方向に並べて配置し、３列目に１つの第１形状装飾部材６１ａを配置する。この際、各第１形状装飾部材６１ａおよび各第２形状装飾部材６１ｂは、その周縁部が支持手段２６によって支持される。
【００４９】
第１形状装飾部材６１ａおよび各第２形状装飾部材６１ｂが配置される領域は、パネル要素２３の上部領域だけでもよいし、下部領域だけでもよいし、上部領域と下部領域に跨った領域であってもよい。
【００５０】
また、ここでの支持手段２６（第１支持部材２６ａおよび第２支持部材２６ｂ）は、各第１形状装飾部材６１ａおよび各第２形状装飾部材６１ｂの外周部に対応した矩形枠形状を有している。そして、縦枠部材５１や上枠部材２２や下枠部材２９に固定されない形態を採用している。勿論、第１支持部材２６ａおよび第２支持部材２６ｂは、直線形状を有しており、４本で第１形状装飾部材６１ａおよび各第２形状装飾部材６１ｂの周囲を囲むようにしてもよいし、Ｌ字型形状として、２本で第１形状装飾部材６１ａおよび各第２形状装飾部材６１ｂの周囲を囲むようにしてもよい。
【００５１】
上記第２実施の形態によれば、以下のように列挙する作用効果を得ることができる。
（２−１）各第１形状装飾部材６１ａおよび各第２形状装飾部材６１ｂの形状の模様や図柄を変えることで、デザイン設計の自由度を高めることができる。
（２−２）各第１形状装飾部材６１ａおよび各第２形状装飾部材６１ｂは、１つの支持手段２６によってのみ支持されることで、容易にパネル要素２３に支持することができる。利用者は、各第１形状装飾部材６１ａおよび各第２形状装飾部材６１ｂを容易に取り外したり、容易に位置を変更することができる。そして、好みに合わせてデザインを変更し模様替えすることができる。
【００５２】
なお、上記第２実施形態は、以下のように適宜変更して実施することもできる。
・装飾部材の数は特に限定されるものではない。また、装飾部材の形状や模様や図柄も特に限定されるものではない。これらの要素は、デザイン設計に応じて決められることになる。一例として、第１形状装飾部材６１ａと第２形状装飾部材６１ｂとは、形状が異なっていてもよい。一例として、第１形状装飾部材６１ａおよび第２形状装飾部材６１ｂの何れか一方の装飾部材が矩形形状であり、他方の装飾部材が一方の装飾部材と異なる形状、例えば円形形状や楕円形状であってもよい。さらに、第３形状装飾部材や第４形状装飾部材を備えていてもよい。
【００５３】
・縦枠部材５１に隣接する装飾部材６１は、縦枠部材５１に固定されていてもよい。装飾部材６１が上枠部材２２に隣接する場合は、上枠部材２２に固定されていてもよい。さらに、下枠部材２９に装飾部材６１が隣接する場合には、下枠部材２９に固定されていてもよい。このように枠部材に固定されることで、一層しっかりとパネル要素２３に固定することができる。
【００５４】
・第１形状装飾部材６１ａおよび各第２形状装飾部材６１ｂは、第２パネル面２４ｂに配置されていてもよいし、第１パネル面２４ａと第２パネル面２４ｂの各面に配置してもよい。この場合、第１パネル面２４ａに配置された第１形状装飾部材６１ａおよび各第２形状装飾部材６１ｂと第２パネル面２４ｂに配置された第１形状装飾部材６１ａおよび各第２形状装飾部材６１ｂとは、全位置が重なっていてもよいし、一部のみ重なっていてもよいし、全位置がずれていてもよい。
【００５５】
・第１パネル面２４ａと第２パネル面２４ｂの各面に配置された場合、第１形状装飾部材６１ａおよび各第２形状装飾部材６１ｂにおける形状や模様や図柄は、特に限定されるものではない。これらの要素は、デザイン設計に応じて決められることになる。一例として、第１パネル面２４ａの第１形状装飾部材６１ａおよび各第２形状装飾部材６１ｂの形状や模様などと第２パネル面２４ｂの第１形状装飾部材６１ａおよび各第２形状装飾部材６１ｂの形状や模様などとを異ならせてもよい。
第１パネル面２４ａに配置される第１形状装飾部材６１ａおよび各第２形状装飾部材６１ｂ中で形状や模様などを異ならせてもよい。また、第２パネル面２４ｂに配置される第１形状装飾部材６１ａおよび各第２形状装飾部材６１ｂ中で形状や模様などを異ならせてもよい。
【００５６】
〔第３実施形態〕
パネル部２１は、装飾部材がパネル要素２３の第１パネル面２４ａおよび第２パネル面２４ｂの両方に配置される構成としてもよい。図１１の例では、パネル部２１は、パネル要素２３の第１パネル面２４ａ上に配置される第１装飾部材７１ａと、第２パネル面２４ｂ上に配置される第２装飾部材７１ｂとを備えている。
【００５７】
第１装飾部材７１ａおよび第２装飾部材７１ｂは、その模様や柄が異なっていてもよいし、同じであってもよい。一例として、第１装飾部材７１ａには、第１パネル面２４ａが臨む空間のデザインに合わせた図柄や模様の生地要素などが選択され、第２装飾部材７１ｂには、第２パネル面２４ｂが臨む空間のデザインに合わせた図柄や模様の生地要素などが選択される。また、第１装飾部材７１ａおよび第２装飾部材７１ｂは、形状が異なっていてもよい。この場合、第１パネル面２４ａにおける第１装飾部材７１ａの配置位置と第２パネル面２４ｂにおける第２装飾部材７１ｂの配置位置とが少なくとも一部重なるように配置される。これにより、第１装飾部材７１ａおよび第２装飾部材７１ｂは、パネル要素２３の各面に配置された状態で、第１支持部材２６ａと第２支持部材２６ｂとによって支持される。
【００５８】
この例で用いられる第１パネル面２４ａに配置される第１支持部材２６ａは、第１マグネットバー２７ａと第１カバー２７ｂと被覆部２７ｃとを備えている。また、第２支持部材２６ｂは、第２マグネットバー２８ａと第２カバー２８ｂと被覆部２８ｃとを備えている。すなわち、第１支持部材２６ａと第２支持部材２６ｂは、同じ構成を備えている。そして、第１支持部材２６ａおよび第２支持部材２６ｂとは、間にパネル要素２３、第１装飾部材７１ａおよび第２装飾部材７１ｂを介在させ、互いに対向するように第１パネル面２４ａおよび第２パネル面２４ｂに配置される。
【００５９】
上記第３実施の形態によれば、以下のように列挙する作用効果を得ることができる。
（３−１）第１装飾部材７１ａには、第１パネル面２４ａが臨む空間のデザインに合わせた図柄や模様の生地要素などを選択することができ、第２装飾部材７１ｂには、第２装飾部材７１ｂには、第２パネル面２４ｂが臨む空間のデザインに合わせた図柄や模様の生地要素などを選択することができる。
【００６０】
（３−２）第１パネル面２４ａに配置される第１装飾部材７１ａと第２パネル面２４ｂに配置される第２装飾部材７１ｂとを１組の第１支持部材２６ａと第２支持部材２６ｂで支持することができる。
【００６１】
〔第４実施形態〕
パネル部２１では、第１パネル面２４ａに第１装飾部材８１ａを配置し、第２パネル面２４ｂに第２装飾部材８１ｂを配置し、そして、第１装飾部材８１ａと第２装飾部材８１ｂの位置を重ならないように配置してもよい。
【００６２】
図１２に示すように、第１パネル面２４ａに配置される第１装飾部材８１ａを支持する第１支持部材２６ａは、第１パネル面２４ａに配置され、第１マグネットバー２７ａと第１カバー２７ｂと被覆部２７ｃとを備えている。また、第１支持部材２６ａに対向して配置される第２支持部材２６ｂは、第２パネル面２４ｂに配置され、第２マグネットバー２８ａと第２カバー２８ｂとを備え、被覆部２７ｃを備えていない。そして、第１支持部材２６ａおよび第２支持部材２６ｂは、間に第１装飾部材８１ａおよびパネル要素２３を挟み、第１装飾部材８１ａを第１パネル面２４ａに支持する。
【００６３】
図１２の例で、第１装飾部材８１ａの下側であって、第２パネル面２４ｂに配置される第２装飾部材８１ｂを支持する第２支持部材２６ｂは、第２パネル面２４ｂに配置され、第２マグネットバー２８ａと第２カバー２８ｂと被覆部２８ｃとを備えている。また、第２支持部材２６ｂに対向して配置される第１支持部材２６ａは、第１パネル面２４ａに配置され、第１マグネットバー２７ａと第１カバー２７ｂとを備え、被覆部２７ｃを備えていない。そして、第１支持部材２６ａおよび第２支持部材２６ｂは、間に第１装飾部材８１ａ、パネル要素２３、および、第２装飾部材８１ｂを挟み、第１パネル面２４ａに対して第１装飾部材８１ａを支持し、第２パネル面２４ｂに対して第２装飾部材８１ｂを支持する。
【００６４】
上記第４実施の形態によれば、以下のように列挙する作用効果を得ることができる。
（４−１）第１パネル面２４ａに配置される第１装飾部材８１ａと第２パネル面２４ｂに配置される第２装飾部材８１ｂとを互いに重ならないように位置をずらして配置することができる。
【００６５】
なお、上記第１実施形態ないし第４実施形態は、以下のように適宜変更して実施することもできる。
・縦枠部材５１を省略する構成とした場合、取付部材３１は、上枠部材２２に対して揺動可能である。すなわち、取付部材３１は、上縁部２１ａに取り付けられると略円柱形状となる。そして、取付部材３１は、上枠部材２２の受容片４４ａ，４４ｂによって支持されることで、揺動可能となる。これにより、例えば、パネル部２１は、上枠部材２２に対して揺動することで、異物が当たり外力が加わったとしても破損しにくくなる。この場合、縦枠部材５１、および、下枠部材２９は、弾性を有する部材などで構成した緩衝部材で構成してもよい。
【００６６】
・パネル部が上部ランナによって吊り下げ支持されるのではなく、下部レールに沿って移動する下部ランナに支持される間仕切りにも適用可能である。
・上部レール２に移動可能に吊り下げ支持されるパネル部材４の枚数は特に限定されるものではない。
【００６７】
・上枠部材２２にパネル部２１を取り付けるにあたっては、上述した取付部材３１を用いた構造に限定されるものではない。一例として、パネル要素２３の上縁部２１ａを案内溝４１に挿入し、ねじなどの固定部材で上枠部材２２に対して固定し案内溝４１にグレチャンを介して支持するようにしてもよい。
・第１パネル面２４ａは、パネル部２１の表面および裏面の何れの面であってもよい。第２パネル面２４ｂは、定義された第１パネル面２４ａに対して反対の面となる。
【００６８】
・マグネットとしては、永久磁石のほか、電磁石であってもよい。
・第１マグネットバー２７ａおよび第２マグネットバー２８ａは、長手方向に２分割や３分割されていてもよい。複数分割された各マグネットは、隣接するマグネットと近接していてもよいし、隣接するマグネットと離間して配置してもよい。複数のマグネットをカバーに配置する場合、そのマグネットの種類や数は、第１支持部材２６ａおよび第２支持部材２６ｂをパネル部２１に取り付けるために必要とされる磁力の強さなどの要因に応じて決められる。
【００６９】
・また、第１カバー２７ｂおよび第２カバー２８ｂに複数のマグネットを配置する場合、各マグネットの形状は、特に限定されるものではなく、矩形形形状でも、コイン型形状などであってもよい。
【００７０】
・第１支持部材２６ａおよび第２支持部材２６ｂの各々は、１本の直線形状の部材ではなく、複数個に分割されていてもよい。この場合、一例として、第１パネル面２４ａおよび第２パネル面２４ｂの各々において、複数の第１支持部材２６ａおよび第２支持部材２６ｂが一対の縦枠部材５１の間に、上枠部材２２および下枠部材２９と平行に、一列または複数列に並んで配置するようにしてもよい。また、上枠部材２２と下枠部材２９の間に、一対の縦枠部材５１と平行に、一列または複数列に並んで配置するようにしてもよい。さらに、複数の第１支持部材２６ａおよび第２支持部材２６ｂは、装飾部材２５を支持できるのであれば、散点状に配置することもできる。
また、第１支持部材２６ａおよび第２支持部材２６ｂの各々は、１本の曲線形状をしているときにも、複数個に分割することができる。
【００７１】
・装飾部材２５は、第１パネル面２４ａだけに配置されているだけでもよいし、第２パネル面２４ｂだけに配置されているだけでもよい。
・レールに沿って移動しない間仕切りにも適用することができる。一例として、パーティションのような移動しない間仕切りや、出入り口のドア枠の開口部に蝶番などによって回動可能に取り付けられる扉などにも適用することができる。
・上部ランナ３の構成は、ランナ本体に４個の車輪が回転可能に支持され、車輪が上部レール２内をほぼ上下動不能な状態で支持片７ａ上を転動するものであってもよい。
・間仕切りとしては、引戸の他、折引戸であってもよい。
【符号の説明】
【００７２】
１…間仕切り、２…上部レール、３…上部ランナ、４…パネル部材、６ａ…前壁、６ｂ…後壁、６ｃ…上壁、７…レール開口部、７ａ…支持片、７ｂ…支持片、１１…ランナ本体、１２…軸保持部材、１３…支軸、１３ａ…根本部、１４…固定部材、２１…パネル部、２１ａ…上縁部、２１ｂ…側縁部、２２…上枠部材、２３…パネル要素、２３ａ…取付孔、２４ａ…第１パネル面、２４ｂ…第２パネル面、２５…装飾部材、２５ａ…上縁部、２６…支持手段、２６ａ…第１支持部材、２６ｂ…第２支持部材、２７ａ…第１マグネットバー、２７ｂ…第１カバー、２７ｃ…被覆部、２８ａ…第２マグネットバー、２８ｂ…第２カバー、２８ｃ…被覆部、２９…下枠部材、３１…取付部材、３２ａ…半体、３２ｂ…半体、３２ｃ…当接面、３２ｄ…当接面、３２ｅ…支持面、３２ｆ…支持面、３３ａ…係合片、３３ｂ…係合片、３４…挿通孔、３５ａ…ねじ、３５ｂ…ナット、３６…筒状部、４１…案内溝、４２…連結片、４３…支持片、４４ａ…受容片、４４ｂ…受容片、４５ａ…案内突部、４５ｂ…案内突部、４６ａ…凹部、４６ｂ…凹部、４７ａ…閉塞部材、４７ｂ…閉塞部材、４８ａ…当接部、４８ｂ…当接部、４９ａ…回動軸、４９ｂ…回動軸、５１…縦枠部材、５２…取付溝、５３…結合部、５４…挿通孔、５５…固定部、５６…取付端部、５７…固定部材、５８…端部、５９…キャップ部材、６１…装飾部材、６１ａ…第１形状装飾部材、６１ｂ…第２形状装飾部材、７１ａ…第１装飾部材、７１ｂ…第２装飾部材、８１ａ…第１装飾部材、８１ｂ…第２装飾部材。
【図１】
2019035217.tif 000003
【図２】
2019035217.tif 000004
【図３】
2019035217.tif 000005
【図４】
2019035217.tif 000006
【図５】
2019035217.tif 000007
【図６】
2019035217.tif 000008
【図７】
2019035217.tif 000009
【図８】
2019035217.tif 000010
【図９】
2019035217.tif 000011
【図１０】
2019035217.tif 000012
【図１１】
2019035217.tif 000013
【図１２】
2019035217.tif 000014